(57)【要約】   ストップランプ装置は、ブレーキペダルの操作に連動したストップランプスイッチのオン／オフ状態と、ストップランプ点灯要求信号のオン／オフ状態と、ストップランプ消灯要求信号のオン／オフ状態とに基づいて、ストップランプの点灯状態を制御する制御装置を備え、前記制御装置は、前記ストップランプ点灯要求信号がオン状態であり且つ前記ストップランプ消灯要求信号がオン状態である場合に、前記ストップランプ点灯要求信号のオン状態を優先してストップランプを点灯させる。
2013094040.tif 000002
【特許請求の範囲】
【請求項１】
ブレーキペダルの操作に連動したストップランプスイッチのオン／オフ状態と、ストップランプ点灯要求信号のオン／オフ状態と、ストップランプ消灯要求信号のオン／オフ状態とに基づいて、ストップランプの点灯状態を制御する制御装置を備え、
前記制御装置は、前記ストップランプ点灯要求信号がオン状態であり且つ前記ストップランプ消灯要求信号がオン状態である場合に、前記ストップランプ点灯要求信号のオン状態を優先してストップランプを点灯させることを特徴とする、ストップランプ装置。
【請求項２】
前記制御装置は、前記ストップランプスイッチがオン状態であり且つ前記ストップランプ消灯要求信号がオン状態である場合に、前記ストップランプ消灯要求信号のオン状態を優先してストップランプを消灯させる、請求項１に記載のストップランプ装置。
【請求項３】
前記制御装置は、所定の急制動が行われている場合に、ストップランプ点灯要求信号をオン状態とオフ状態との間で所定周期毎に変化させると共に、前記ストップランプ消灯要求信号を、ストップランプ点灯要求信号とは逆位相で、オン状態とオフ状態との間で前記所定周期毎に変化させる、請求項２に記載のストップランプ装置。
【請求項４】
前記制御装置は、所定の急制動が行われている場合を除き、ストップランプスイッチがオン状態となるのに同期してストップランプ点灯要求信号をオン状態に変化させる、請求項１〜３のうちのいずれか１項に記載のストップランプ装置。
【請求項５】
前記制御装置は、運転者によるブレーキ操作に起因せずにブレーキ装置が作動した場合に、ストップランプ点灯要求信号をオン状態に変化させる、請求項１〜４のうちのいずれか１項に記載のストップランプ装置。
【発明の詳細な説明】
【技術分野】
【０００１】
本発明は、ストップランプ装置に関する。
【背景技術】
【０００２】
従来から、急制動が行われている場合に、ストップランプを点滅させる技術が知られている（例えば、特許文献１参照）。この構成では、急制動が行われている場合に、アンドゲートに点滅信号（４Ｈｚでオン（ハイレベル）・オフ（ローレベル）状態が変化する信号）とストップランプスイッチの出力とが入力されることで、ストップランプが点滅される。
【先行技術文献】
【特許文献】
【０００３】
【特許文献１】特開２０１０−０３０３７６号公報
【発明の概要】
【発明が解決しようとする課題】
【０００４】
しかしながら、特許文献１に記載の構成では、内部回路の素子のオープンやショート等により点滅信号がオフ固着すると、ストップランプスイッチが正常であってもストップランプが点灯できないランプ不灯モードとなる。即ち、点滅信号のオフ固着という１故障でランプ不灯モードとなる。【０００５】
そこで、本発明は、１故障でランプ不灯モードとなるのが防止されたストップランプ装置の提供を目的とする。
【課題を解決するための手段】
【０００６】
本発明の一局面によれば、ブレーキペダルの操作に連動したストップランプスイッチのオン／オフ状態と、ストップランプ点灯要求信号のオン／オフ状態と、ストップランプ消灯要求信号のオン／オフ状態とに基づいて、ストップランプの点灯状態を制御する制御装置を備え、
前記制御装置は、前記ストップランプ点灯要求信号がオン状態であり且つ前記ストップランプ消灯要求信号がオン状態である場合に、前記ストップランプ点灯要求信号のオン状態を優先してストップランプを点灯させることを特徴とする、ストップランプ装置が提供される。
【発明の効果】
【０００７】
本発明によれば、１故障でランプ不灯モードとなるのが防止されたストップランプ装置が得られる。
【図面の簡単な説明】
【０００８】
【図１】一実施例によるストップランプ装置１の要部構成を示す図である。
【図２】通常ブレーキ操作時における比較例及び本実施例による各種信号の波形（正常時）を示す図である。
【図３】通常ブレーキ操作時における比較例及び本実施例による各種信号の波形（消灯要求オン固着時）を示す図である。
【図４】点灯制御時における比較例及び本実施例による各種信号の波形（正常時）を示す図である。
【図５】点灯制御時における比較例及び本実施例による各種信号の波形（消灯要求オン固着時）を示す図である。
【図６】点滅制御時における比較例及び本実施例による各種信号の波形（正常時）を示す図である。
【図７】点滅制御時における比較例及び本実施例による各種信号の波形（消灯要求オン固着時）を示す図である。
【図８】ランプ駆動リレー３０の内部構成の一例を示す図である。
【発明を実施するための形態】
【０００９】
以下、図面を参照して、本発明を実施するための最良の形態の説明を行う。
【００１０】
図１は、一実施例によるストップランプ装置１の要部構成を示す図である。ストップランプ装置１は、ランプ制御ＥＣＵ（Electronic Control Unit）１０を中心として構成され、ストップランプスイッチ２０と、ランプ駆動リレー３０と、ストップランプ（ブレーキランプ）４０とを含む。
【００１１】
ランプ制御ＥＣＵ１０は、例えば、ＣＰＵ，制御プログラムを格納するＲＯＭ、演算結果等を格納する読書き可能なＲＡＭ、タイマ、カウンタ、入力インターフェイス、及び出力インターフェイス等を有する。
【００１２】
ランプ制御ＥＣＵ１０は、ストップランプ点灯要求信号を生成する。ストップランプ点灯要求信号は、ストップランプ４０の点灯状態を要求する間、ＯＮ状態となる信号である。ストップランプ点灯要求信号は、ランプ駆動リレー３０に入力される。ランプ制御ＥＣＵ１０は、所定の規則に従って、ストップランプ点灯要求信号のオン／オフ状態を切り替える。例えば、ランプ制御ＥＣＵ１０は、基本的には（後述の例外を除いて）、ストップランプスイッチ２０のオン状態に同期させて、ストップランプ点灯要求信号をオン状態とする。また、ＡＣＣ（オートクルーズコントロール）やＨＡＣ（ヒルスタートアシストコントロール）のような、運転者によるブレーキペダルの操作の有無に関係なく（運転者によるブレーキペダルの操作が無い状態でも）、自動的にブレーキ装置（図示せず）が作動されて制動力を発生させることができる機能を備える場合、かかる制動力を発生させる間、ストップランプ点灯要求信号をオン状態とする。また、ランプ制御ＥＣＵ１０は、運転者によるブレーキ操作に応答してブレーキ装置が作動されて所定の急制動が行われている場合に、ストップランプ点灯要求信号をオン状態とオフ状態との間で所定周期毎に変化させる。即ち、ランプ制御ＥＣＵ１０は、所定の急制動が行われている場合に、所定周波数でオンとオフの間で状態が変化するパルス信号の形態のストップランプ点灯要求信号を発生する。
【００１３】
ランプ制御ＥＣＵ１０は、ストップランプ消灯要求信号を生成する。ストップランプ消灯要求信号は、ストップランプ４０の消灯状態を要求する間、ＯＮ状態となる信号である。ストップランプ消灯要求信号は、ランプ駆動リレー３０に入力される。ランプ制御ＥＣＵ１０は、所定の規則に従って、ストップランプ消灯要求信号のオン／オフ状態を切り替える。例えば、ランプ制御ＥＣＵ１０は、運転者によるブレーキ操作に応答してブレーキ装置が作動されて所定の急制動が行われている場合に、ストップランプ消灯要求信号をオン状態とオフ状態との間で所定周期毎に変化させる。即ち、ランプ制御ＥＣＵ１０は、所定の急制動が行われている場合に、所定周波数でオンとオフの間で状態が変化するパルス信号の形態のストップランプ消灯要求信号を発生する。この場合、ストップランプ消灯要求信号のオン／オフの切替周期は、ストップランプ点灯要求信号のオン／オフの切替周期と同一であるが、ストップランプ消灯要求信号のオン／オフの位相は、ストップランプ点灯要求信号のオン／オフの位相とは逆とされる。即ち、ストップランプ消灯要求信号は、ストップランプ点灯要求信号がオン状態であるときにオフ状態となり、ストップランプ点灯要求信号がオフ状態であるときにオン状態となる態様で、オン／オフ状態が変化する。これにより、後述の如く急制動時にストップランプ４０の点滅を実現する。尚、ストップランプ消灯要求信号のオン／オフの切替周期（ストップランプ点灯要求信号のオン／オフの切替周期）は、任意であるが、例えば３−４Ｈｚ程度であってよい。
【００１４】
所定の急制動の有無は、ランプ制御ＥＣＵ１０に接続されるブレーキＥＣＵ（図示せず）により検出されてもよいし、ランプ制御ＥＣＵ１０が自ら検出してもよい。前者の場合、ブレーキＥＣＵは、所与の急制動判定条件に従って所定の急制動の有無を判定し、所定の急制動が行われていると判定した場合に、その旨をランプ制御ＥＣＵ１０に通知する。ランプ制御ＥＣＵ１０は、この通知を受けて、所定の急制動が行われている間、ストップランプ点灯要求信号及びストップランプ消灯要求信号を上述の如くオン状態とオフ状態との間で所定周期毎に変化させる。
【００１５】
尚、急制動判定条件は、多種多様であり、任意の条件が使用されてもよい。例えば、所定の急制動は、車速センサや加速度センサの出力と、ブレーキペダルの操作量とに基づいて検出されてもよい。より具体的には、車速センサにより検出される車速が所定車速（例えば５０−６０ｋｍ／ｈの範囲内の値）以上である状況下で、ブレーキペダルが操作され、且つ、加速度センサで検出される減速度が所定減速度（例えば６−８ｍ／ｓ２の範囲内の値）を越えた場合に、所定の急制動が行われていると判定されてもよい。尚、その後、車両の減速度が所定減速度（３−５ｍ／ｓ２の範囲内の値）以下になった場合やハザードランプが点滅されたときに、所定の急制動が行われているとの判定状態が解除されてもよい（即ちストップランプ点灯要求信号及びストップランプ消灯要求信号をオン状態とオフ状態との間で所定周期毎に変化させるのを停止してよい）。
【００１６】
ストップランプスイッチ２０は、運転者によるブレーキ操作の有無に応じてオン／オフ状態が変化するスイッチである。ストップランプスイッチ２０は、例えばブレーキペダルの動きに機械的に連動してオン／オフ状態が変化するスイッチであってよい。尚、ストップランプスイッチ２０のオン状態は、運転者によるブレーキ操作が行われている状態（ブレーキペダルが踏み込まれた状態）に対応し、ストップランプスイッチ２０のオフ状態は、運転者によるブレーキ操作が行われていない状態に対応する。ストップランプスイッチ２０は、図１に示すように、ランプ制御ＥＣＵ１０とランプ駆動リレー３０に接続される。即ち、ストップランプスイッチ２０のオン／オフ状態は、ランプ制御ＥＣＵ１０とランプ駆動リレー３０に入力される。
【００１７】
ランプ駆動リレー３０は、ストップランプスイッチ２０のオン／オフ状態と、ストップランプ点灯要求信号のオン／オフ状態と、ストップランプ消灯要求信号のオン／オフ状態とに応じた出力（リレー出力）を発生する。ランプ駆動リレー３０は、ストップランプ点灯要求信号のオン状態がストップランプ消灯要求信号のオフ状態よりも優先される態様で、リレー出力を発生する。即ち、ストップランプ点灯要求信号がオン状態であり且つストップランプ消灯要求信号がオン状態である場合に、ストップランプ４０をオンさせるリレー出力を発生する。また、ランプ駆動リレー３０は、ストップランプ消灯要求信号のオン状態がストップランプスイッチ２０のオン状態よりも優先される態様で、リレー出力を発生する。即ち、ストップランプ消灯要求信号がオン状態であり且つストップランプスイッチ２０がオン状態である場合に、ストップランプ４０をオフさせるリレー出力を発生する。ランプ駆動リレー３０の内部構成の一例について後述する。
【００１８】
ストップランプ４０は、車両の後部の左右に配置される。ストップランプ４０は、ハイマウントストップランプを含んでよい。ストップランプ４０は、ランプ駆動リレー３０からのリレー出力に基づいて点灯状態が変化する。ストップランプ４０は、ランプ駆動リレー３０からのリレー出力がオン状態であるときに点灯し、ランプ駆動リレー３０からのリレー出力がオフ状態であるときに消灯する。
【００１９】
以上の構成により、ストップランプ装置１は、１故障でランプ不灯モードとなるのが防止された構成となる。
【００２０】
次に、比較例と対比して、本実施例のストップランプ装置１の基本動作（正常時の動作）と共に、故障時の動作を説明し、１故障でランプ不灯モードとならない原理について説明する。
【００２１】
ここでは、故障モードとしては、ランプ不灯モードの原因となるストップランプ消灯要求信号のオン固着（オン状態のまま変化しない故障モード）を想定する。尚、オン固着は、典型的には、ランプ制御ＥＣＵ１０の内部回路の素子のオープンやショート、ストップランプ消灯要求信号の信号線（ハーネス）の断線等が原因で生じうる。
【００２２】
比較例では、本実施例と同様、ストップランプスイッチ２０のオン／オフ状態と、ストップランプ点灯要求信号のオン／オフ状態と、ストップランプ消灯要求信号のオン／オフ状態とに基づいてランプ駆動リレーのリレー出力のオン／オフ状態が変化する。但し、比較例では、ストップランプ点灯要求信号は、ＡＣＣやＨＡＣのような自動的にブレーキ装置が作動されて制動力を発生させる制御用のみに使用され、通常ブレーキ操作時や急制動状態では使用されない（オン状態とならない）。これに伴い、比較例では、ストップランプ消灯要求信号のオン状態の方がストップランプスイッチのオン状態及びストップランプ点灯要求信号のオン状態よりも優先される。
【００２３】
図２は、通常ブレーキ操作時（急制動でないブレーキ操作時）における比較例及び本実施例による各種信号の状態（波形）を示す図である。図２は、ストップランプ消灯要求信号のオン固着がない正常時の各波形を示す。この場合、図２に示すように、比較例では、ストップランプスイッチのオン状態となることでリレー出力がオンとなり、正常にストップランプが点灯する。また、本実施例では、ストップランプスイッチ２０のオン状態となることで、ストップランプ点灯要求信号がオン状態となり、リレー出力がオンとなり、正常にストップランプが点灯する。
【００２４】
図３は、通常ブレーキ操作時における比較例及び本実施例による各種信号の状態（波形）を示す図である。図３は、ストップランプ消灯要求信号のオン固着時（消灯要求オン固着時）の各波形を示す。この場合、図３に示すように、比較例では、ストップランプ消灯要求信号がオン状態であることによりリレー出力がオフとなり、ブレーキ操作時にストップランプが点灯しない（ランプ不灯モードとなる）。他方、本実施例によれば、ストップランプ点灯要求信号のオン状態の方がストップランプ消灯要求信号のオン状態よりも優先順位が高いことから、ストップランプスイッチ２０のオン状態となるのに同期してストップランプ点灯要求信号がオン状態となると、リレー出力がオンとなるので、正常にストップランプが点灯する（ランプ不灯モードとならない）。
【００２５】
図４は、点灯制御時における比較例及び本実施例による各種信号の状態（波形）を示す図である。図４は、ストップランプ消灯要求信号のオン固着がない正常時の各波形を示す。尚、点灯制御とは、ＡＣＣやＨＡＣのような自動的にブレーキ装置が作動されて制動力を発生させる制御に関連して、制動力が自動的に（即ちブレーキ操作の無い状態で）発生されたときにストップランプ４０を点灯させる制御を指す。
【００２６】
この場合、図４に示すように、比較例では、ストップランプ点灯要求信号がオン状態となることでリレー出力がオンとなり、正常にストップランプが点灯する。また、本実施例においても、ストップランプ点灯要求信号がオン状態となり、リレー出力がオンとなり、正常にストップランプが点灯する。
【００２７】
図５は、点灯制御時における比較例及び本実施例による各種信号の状態（波形）を示す図である。図５は、ストップランプ消灯要求信号のオン固着時の各波形を示す。この場合、図５に示すように、比較例では、ストップランプ消灯要求信号のオン状態の方がストップランプ点灯要求信号のオン状態よりも優先順位が高いことから、ストップランプ消灯要求信号のオン状態によりリレー出力がオフとなり、自動ブレーキ作動時にストップランプが点灯しない（ランプ不灯モードとなる）。他方、本実施例によれば、ストップランプ点灯要求信号のオン状態の方がストップランプ消灯要求信号のオン状態よりも優先順位が高いことから、ストップランプ点灯要求信号のオン状態によりリレー出力がオンとなり、正常にストップランプが点灯する（ランプ不灯モードとならない）。
【００２８】
図６は、点滅制御時における比較例及び本実施例による各種信号の状態（波形）を示す図である。図６は、ストップランプ消灯要求信号のオン固着がない正常時の各波形を示す。尚、点滅制御とは、所定の急制動が行われている場合に、その旨を後方車両の運転者等に知らせるために、ストップランプ４０を点滅させる制御を指す。
【００２９】
この場合、図６に示すように、比較例では、所定の急制動が行われている間、ストップランプスイッチのオン状態を維持するが、ストップランプ消灯要求信号のオン状態の方がストップランプスイッチのオン状態よりも優先順位が高いことから、ストップランプ消灯要求信号がオン／オフ状態を交互に繰り返すことで、正常にストップランプが点滅する。また、本実施例においては、所定の急制動が行われている間、ストップランプスイッチ２０のオン状態を維持するが、ストップランプスイッチ２０のオン状態よりも優先順位が高いストップランプ消灯要求信号とストップランプ点灯要求信号とが互いに逆位相でオン／オフ状態を交互に繰り返すことで、正常にストップランプ４０が点滅する。即ち、ストップランプ点灯要求信号がオン状態のときは、ストップランプ４０が点灯し、ストップランプ点灯要求信号がオフ状態のときは、ストップランプ消灯要求信号がオン状態となり、ストップランプ４０が消灯し、この繰り返しによりストップランプ４０が点滅する。
【００３０】
図７は、点滅制御時における比較例及び本実施例による各種信号の状態（波形）を示す図である。図７は、ストップランプ消灯要求信号のオン固着時の各波形を示す。
【００３１】
この場合、図７に示すように、比較例では、ストップランプ消灯要求信号のオン状態の方がストップランプ点灯要求信号のオン状態よりも優先順位が高いことによりリレー出力がオフとなり、所定の急制動時にストップランプが点滅（又は点灯）しない（ランプ不灯モードとなる）。他方、本実施例によれば、ストップランプ点灯要求信号のオン状態の方がストップランプ消灯要求信号のオン状態よりも優先順位が高いことによりリレー出力が周期的にオンとなり、正常にストップランプ４０が点滅する（ランプ不灯モードとならない）。即ち、ストップランプ点灯要求信号がオン状態のときは、ストップランプ４０が点灯し、ストップランプ点灯要求信号がオフ状態のときは、ストップランプ消灯要求信号がオン状態であり、ストップランプ４０が消灯し、この繰り返しによりストップランプ４０が点滅する。
【００３２】
このように本実施例によれば、通常ブレーキ操作時や点滅制御時にストップランプ点灯要求信号を有効に利用しつつ、ストップランプ点灯要求信号のオン状態及びストップランプ消灯要求信号のオン状態等を適切に優先順位付けすることにより、１故障でランプ不灯モードとなる事態を適切に防止することができる。
【００３３】
尚、本実施例では、ストップランプ点灯要求信号のオン状態の方がストップランプ消灯要求信号のオン状態よりも優先順位が高いことから、正常時の点滅制御時において、ストップランプ消灯要求信号をオン状態に維持しても（即ちオン／オフ状態を交互に繰り返す波形としなくても）、ストップランプ４０の点滅を実現することができる。しかしながら、この場合、仮にストップランプ点灯要求信号がオフ固着してしまうと、ストップランプ４０が消灯したまま点滅せず、ランプ不灯モードとなる。他方、ストップランプ消灯要求信号が上述の如くオン／オフ状態を交互に繰り返す波形であれば、仮にストップランプ点灯要求信号がオフ固着しても、ストップランプ消灯要求信号がオフ状態のときにストップランプスイッチ２０のオン状態によりストップランプ４０が消灯し、ストップランプ消灯要求信号がオン状態のときにストップランプ４０が消灯し、この繰り返しにより正常にストップランプ４０が点滅する（ランプ不灯モードとならない）。従って、好ましくは、上述の如く、ストップランプ消灯要求信号とストップランプ点灯要求信号とは、互いに逆位相でオン／オフ状態を交互に繰り返すように生成される。これにより、ストップランプ点灯要求信号のオフ固着時においても、ランプ不灯モードとなる事態を適切に防止することができる。
【００３４】
ここで、本実施例では、上述の如く、ランプ駆動リレー３０は、ストップランプスイッチ２０のオン状態と、ストップランプ点灯要求信号のオン状態と、ストップランプ消灯要求信号のオン状態に対して、ストップランプ点灯要求信号のオン状態＞ストップランプ消灯要求信号のオン状態＞ストップランプスイッチ２０のオン状態という優先順位に従って、リレー出力を発生している。このような優先順位付けを実現する方法は、多種多様であるが、その一例について、図８を参照して説明する。尚、図８に示す例では、アナログ回路により優先順位付けを実現しているが、デジタル回路を用いて実現してもよい。また、ハードウェア回路でなくソフトウェアにより同優先順位付けを実現することも可能である。
【００３５】
図８は、ランプ駆動リレー３０の内部構成の一例を示す図である。
【００３６】
ランプ駆動リレー３０は、図８に示すように、４つのトランジスタＴｒ１乃至Ｔｒ４を含む。尚、図示の例では、トランジスタＴｒ１、Ｔｒ２は、ベース側の電位がＬｏｗのときにオフするタイプであり、トランジスタＴｒ３、Ｔｒ４は、ベース側の電位がＨｉｇｈのときにオンするタイプである。ストップランプ４０は、トランジスタＴｒ１がオンするときに点灯し、トランジスタＴｒ１がオフするときに消灯するように、接続される。即ち、トランジスタＴｒ１のエミッタは電源電圧に接続され、ストップランプ４０は、トランジスタＴｒ１のコレクタに接続される。
【００３７】
トランジスタＴｒ１のベースは、抵抗素子を介して接続点Ｐにて電源ライン３０ａに接続される。接続点Ｐには、抵抗素子及びダイオードＤを介して電源電圧に接続され、電源ライン３０ａが形成される。
【００３８】
ストップランプ点灯要求信号は、図８に示すように、抵抗素子を介して接続点Ｐに直接入力される。ストップランプ消灯要求信号は、抵抗素子を介してトランジスタＴｒ２のベースに直接入力される。トランジスタＴｒ２のコレクタは、抵抗素子を介してトランジスタＴｒ３のベースに接続され、トランジスタＴｒ２のエミッタは、ダイオードＤを介して電源電圧に接続される。トランジスタＴｒ３のエミッタは、接地され、トランジスタＴｒ３のコレクタは、接続点Ｑに接続される。接続点Ｑは、抵抗素子を介してトランジスタＴｒ４のベースに接続されると共に、ストップランプスイッチ２０のオン／オフ信号が抵抗素子を介して直接入力される。トランジスタＴｒ４のエミッタは接地され、トランジスタＴｒ４のコレクタは、接続点Ｐに接続される。
【００３９】
ここで、ストップランプ点灯要求信号がオン状態となった場合について説明する。ここでは、ストップランプ点灯要求信号のオン／オフ状態は、Ｌｏｗ／Ｈｉｇｈレベルの信号として（即ち反転して）ランプ駆動リレー３０の入力端子に与えられるものとする。ストップランプ点灯要求信号がオン状態となると、接続点Ｐの電位（トランジスタＴｒ１のベース側の電位）がＬｏｗとなり、トランジスタＴｒ１がオンしてストップランプ４０が点灯する。
【００４０】
次に、ストップランプ消灯要求信号がオン状態となった場合について説明する。ここでは、ストップランプ消灯要求信号のオン／オフ状態は、Ｌｏｗ／Ｈｉｇｈレベルの信号として（即ち反転して）ランプ駆動リレー３０の入力端子に与えられるものとする。また、ストップランプ点灯要求信号はオフ状態であるとする。
【００４１】
ストップランプ消灯要求信号がオン状態となると、トランジスタＴｒ２のベース側の電位がＬｏｗとなり、トランジスタＴｒ２がオンする。これにより、トランジスタＴｒ３のベース側の電位がＨｉｇｈとなり、トランジスタＴｒ３がオンする。これにより、接続点Ｑの電位は接地電位となり、トランジスタＴｒ４のベース側の電位がＬｏｗとなり、トランジスタＴｒ４がオフする。これにより、接続点Ｐの電位がＨｉｇｈとなり、トランジスタＴｒ１がオフしてストップランプ４０が消灯する。尚、この際、接続点Ｑの電位は、ストップランプスイッチ２０がオン状態であっても接地電位となる。これにより、ストップランプ消灯要求信号のオン状態＞ストップランプスイッチ２０のオン状態という優先順位が実現されている。また、この際、ストップランプ点灯要求信号がオン状態となると、接続点Ｐの電位（トランジスタＴｒ１のベース側の電位）がＬｏｗとなる。これにより、ストップランプ点灯要求信号のオン状態＞ストップランプ消灯要求信号のオン状態という優先順位が実現されている。従って、上述の如くストップランプ消灯要求信号がオン固着してしまった場合でも、ストップランプ点灯要求信号によりランプ不灯モードとなるのを防止することができる。
【００４２】
次に、ストップランプスイッチ２０がオン状態となった場合について説明する。ここでは、ストップランプスイッチ２０のオン／オフ状態は、Ｈｉｇｈ／Ｌｏｗレベルの信号として（即ち反転せずに）ランプ駆動リレー３０の入力端子に与えられるものとする。また、ストップランプ消灯要求信号はオフ状態であるとする。
【００４３】
ストップランプ消灯要求信号はオフ状態であるとき、トランジスタＴｒ２のベース側の電位はＨｉｇｈ状態であり、トランジスタＴｒ２がオフ状態である。従って、トランジスタＴｒ３のベース側の電位はＬｏｗ状態であり、トランジスタＴｒ３がオフ状態である。従って、接続点Ｑは接地されていない状態である。このとき、ストップランプスイッチ２０がオン状態となると、接続点Ｑの電位がＨｉｇｈとなり、トランジスタＴｒ４のベース側の電位がＨｉｇｈとなり、トランジスタＴｒ４がオンする。これにより、接続点Ｐが接地されることで接続点Ｐの電位（トランジスタＴｒ１のベース側の電位）がＬｏｗとなり、トランジスタＴｒ１がオンしてストップランプ４０が点灯する。尚、接続点Ｐが接地される状態は、ストップランプスイッチ２０がオン状態であり且つストップランプ消灯要求信号はオフ状態であるときは、ストップランプ点灯要求信号がオフ状態であっても形成される。従って、仮にストップランプ点灯要求信号がオフ固着してしまった場合でも、ストップランプスイッチ２０によるストップランプ４０の点灯が可能であり、この点でも、ランプ不灯モードとなるのが適切に防止されている。
【００４４】
尚、上述した実施例においては、特許請求の範囲における「制御装置」は、ランプ制御ＥＣＵ１０及びランプ駆動リレー３０により協動して実現されている。但し、ランプ制御ＥＣＵ１０及びランプ駆動リレー３０の機能の分担は任意であり、一方の機能の一部又は全部が他方により実現されてもよい。また、ランプ制御ＥＣＵ１０及びランプ駆動リレー３０の機能は、３つ以上の制御部により協動して実現されてもよいし、ランプ制御ＥＣＵ１０及び／又はランプ駆動リレー３０の機能の一部又は全部は、他の別のＥＣＵにより実現されてもよい。また、制御装置は、任意のハードウェア若しくはソフトウェア又はこれらの組み合わせで実現されてもよい。
【００４５】
以上、本発明の好ましい実施例について詳説したが、本発明は、上述した実施例に制限されることはなく、本発明の範囲を逸脱することなく、上述した実施例に種々の変形及び置換を加えることができる。
【００４６】
例えば、上述した実施例では、点灯制御を行っているが、点灯制御は、任意の制御であり、必ずしも実行される必要はない。即ち、本発明は、ＡＣＣやＨＡＣ等の自動制動機能を備えていない車両にも適用可能である。この場合も、通常ブレーキ時や点滅制御時に同様の態様でストップランプ点灯要求信号等を発生させれば、上述した実施例と同様の効果を得ることができる。また、自動制動機能に付随する点灯制御は、ＡＣＣやＨＡＣ以外にも、障害物との衝突が不可避と判定された場合に緊急ブレーキを自動的に作動させるシステム（プリクラッシュセーフティシステム）等のような他の多様なシステムで採用されうる。
【００４７】
また、上述した実施例では、点滅制御は、運転者によるブレーキ操作を前提とした急制動状態の検出時に実行されているが、運転者によるブレーキ操作の無い状態で自動的にブレーキ装置が作動されて行われうる緊急介入制動（例えば、プリクラッシュセーフティシステムにより衝突不可避と判定された場合に行われる緊急ブレーキ）に対して実行されてもよい。
【符号の説明】
【００４８】
１    ストップランプ装置
１０    ランプ制御ＥＣＵ
２０    ストップランプスイッチ
３０    ランプ駆動リレー
４０    ストップランプ
【図１】
2013094040.tif 000003
【図２】
2013094040.tif 000004
【図３】
2013094040.tif 000005
【図４】
2013094040.tif 000006
【図５】
2013094040.tif 000007
【図６】
2013094040.tif 000008
【図７】
2013094040.tif 000009
【図８】
2013094040.tif 000010
【国際調査報告】
2013094040.tif 000011
2013094040.tif 000012
2013094040.tif 000013
2013094040.tif 000014